(57)【要約】【課題】  開口の口縁の縁枠部のコーナ部の周囲がＣＲＴの重量を受けて白化することをを防ぐ。【解決手段】  開口１１の口縁の縁枠部１４に重ね合わせたＣＲＴを背高ボス１５にビス止めするようになっているテレビジョン受像機の合成樹脂製キャビネットにおいて、ＣＲＴの重量による荷重が集中する縁枠部１４のコーナ部１４ａと背高ボス１５との間に亘る補強リブ２と、この補強リブの両側の一対の補助リブ３，３とを設ける。補強リブ２及び補助リブ３，３を、縁枠部１４を形成している背低リブよりも背低に形成する。補強リブ２は白化ラインの発生予想箇所に位置し、補助リブ３，３は白化ラインの発生予想箇所の外側に位置している。【選択図】        図２
2005340965.tif 000002
【特許請求の範囲】
【請求項１】
ＣＲＴの表示面を前方へ向けて露出させる略矩形の開口を備えた前枠部の裏面に、上記開口の口縁全域に亘り上記ＣＲＴが重ね合わされる背低リブでなる縁枠部が備わっていると共に、上記開口のコーナ部の近傍箇所に位置して、上記ＣＲＴを止具を介して支持する背高ボスが備わっているテレビジョン受像機の合成樹脂製キャビネットにおいて、
上記前枠部とその外周部から後方へ張り出した外枠部とを備えるフロント部材と、そのフロント部材に結合されるリヤ部材とでなり、
上記背高ボスに支持させたＣＲＴの重量による荷重が集中する上記縁枠部のコーナ部に始端が連結されかつ上記背高ボスに終端が連結された直線状の補強リブと、この補強リブの始端と同一位置に始端を有して互いに直交する方向に直線状に延び出ることによってその補強リブを挟む両側に各別に位置する一対の補助リブとが、上記前枠部と一体にその裏面に形成されていると共に、上記補強リブ及び一対の上記補助リブが、上記縁枠部を形成している背低リブよりも背低に形成され、
一対の上記補助リブのうちの片側の補助リブの終端が上記背高ボスを挟む両側に各別に位置する一対のポストのうちの片側のポストに連結され、他側の補助リブの終端が他側のポストに連結され、上記外枠部と上記背高ボスとの間に亘って一体成形された板片状のリブと、上記背高ボスと一対のポストとの間に亘って一体成形された板片状のリブとを備えていることを特徴とするテレビジョン受像機の合成樹脂製キャビネット。
【請求項２】
ＣＲＴの表示面を前方へ向けて露出させる略矩形の開口を備えた前枠部の裏面に、上記開口の口縁全域に亘り上記ＣＲＴが重ね合わされる背低リブでなる縁枠部が備わっていると共に、上記開口のコーナ部の近傍箇所に位置して、上記ＣＲＴを止具を介して支持する背高ボスが備わっているテレビジョン受像機の合成樹脂製キャビネットにおいて、
上記背高ボスに支持させたＣＲＴの重量による荷重が集中する上記縁枠部のコーナ部に始端が位置しかつ上記背高ボスに終端が連結された直線状の補強リブを、上記前枠部と一体にその裏面に形成することによって、上記開口のコーナ部の近傍箇所が白化することを防いでいることを特徴とするテレビジョン受像機の合成樹脂製キャビネット。
【請求項３】
上記補強リブの始端と同一位置に始端を有して互いに直交する方向に直線状に延び出ることによってその補強リブを挟む両側に各別に位置する一対の補助リブが、上記前枠部と一体にその裏面に形成されている請求項２に記載したテレビジョン受像機の合成樹脂製キャビネット。
【請求項４】
上記補強リブ及び一対の上記補助リブが、上記縁枠部を形成している背低リブよりも背低に形成されている請求項３に記載したテレビジョン受像機の合成樹脂製キャビネット。
【請求項５】
一対の上記補助リブのうちの片側の補助リブの終端が上記背高ボスを挟む両側に各別に位置する一対のポストのうちの片側のポストに連結され、他側の補助リブの終端が他側のポストに連結されている請求項３又は請求項４に記載したテレビジョン受像機の合成樹脂製キャビネット。
【請求項６】
上記前枠部にその外周部から後方へ張り出した外枠部が備わり、その外枠部と上記背高ボスとの間に亘って一体成形された板片状のリブが配備されていると共に、上記背高ボスと一対のポストとの間に亘って一体成形された板片状のリブが配備されている請求項５に記載したテレビジョン受像機の合成樹脂製キャビネット。
【発明の詳細な説明】
【技術分野】
【０００１】
本発明は、テレビジョン受像機の合成樹脂製キャビネット、特にＣＲＴ（ブラウン管）の表示面を前方へ向けて露出させる略矩形の開口の周囲の荷重集中による白化現象を防ぐ対策を講じたものに関する。
【背景技術】
【０００２】
図３にテレビジョン受像機の合成樹脂製キャビネットの従来例の要部を示してある。このキャビネットは、フロント部材１と図示していないリヤ部材とに分割されていて、フロント部材１とリヤ部材とを結合することによって構成されるようになっている。そして、フロント部材１は、略矩形の開口１１を備えた前枠部１２とこの前枠部１２の外周部から後方へ張り出した外枠部１３とを備えていて、前枠部１２の裏面には、開口１１の口縁全域に亘る背低リブでなる縁枠部１４が備わっている。また、開口１１のコーナ部１１ａの近傍箇所に位置する背高ボス１５が備わっていて、この背高ボス１５を挟む両側にポスト１６が備わっている。そして、背高ボス１５と外枠部１３との間、並びに、背高ボス１５とそれぞれのポスト１６，１６との間に板片状のリブ１７，１８が配備されている。
【０００３】
このキャビネットでは、ＣＲＴの外周囲が縁枠部１４に重ね合わされてそのＣＲＴの表示面が開口１１からその前方へ向けて露出されると共に、ＣＲＴが止具を介して背高ボス１５によって支持される。
【０００４】
一方、従来より、画像表示装置において、ＣＲＴを外部に臨ませる開口の周囲部に設けたリブにＣＲＴを接触させるようにすると共に、そのリブの角部の肉厚を減少させることによってＣＲＴとの接触面積を狭くし、そうすることによってリブの角部の割れを防ぐようにすることも提案されている（たとえば、特許文献１参照）。また、電気機器のキャビネットにおいて、フロントキャビネットとリヤキャビネットとの合わせ箇所において、リヤキャビネットに設けられているリブのコーナ部を欠除することによって、そのリブのコーナ部が落下荷重を受けて割れたりすることを防ぐ技術が知られている（たとえば、特許文献２参照）。
【特許文献１】特開２００３−３２５７６号公報
【特許文献２】特開平１１−２１５４４９号公報
【発明の開示】
【発明が解決しようとする課題】
【０００５】
図３で説明した従来のキャビネットでは、背高ボス１５が前枠部１２の４隅にそれぞれ設けられていて、それらの背高ボス１５により取付けねじを介してＣＲＴが支持される。そして、それぞれの背高ボス１５が開口１１の４隅のそれぞれの近傍箇所に設置されていることなどにより、背高ボス１５によって支持させたＣＲＴの重量による荷重が、開口１１のコーナ部１１ａに集中する傾向があり、そのような集中荷重を受けて縁枠部１４のコーナ部１４ａの周囲の一定領域内に、そのコーナ部１４ａを起点として放射方向に延びる白化ライン（白化の筋）Ａが発生することがある。１９インチよりも小さいサイズのＣＲＴを用いるテレビジョン受像機ではＣＲＴが比較的軽量であったことなどのため、上記のような白化ラインＡが目立って生じるという事態は発生せず、また、塗装によって白化が目立たなかったということもあって、そのような白化ラインＡの発生を防ぐ対策を講じることは特に必要とされなかった。
【０００６】
しかしながら、近時のようにＣＲＴの大型化や平面化に伴ってＣＲＴの重量が重くなってくると、図３で説明した従来の構造では、そのＣＲＴの重さに耐えきれなくなって縁枠部１４のコーナ部１４ａの周囲に生じる上記したような白化ラインＡが目立つようになるおそれが生じた。
【０００７】
これに対し、特許文献１によって開示された技術は、ＣＲＴが重ね合わされるリブの角部の肉厚を減少させてリブとＣＲＴとの接触面積を狭くするというものであるので、リブによる開口のコーナ部の補強強度が低下するおそれがある。また、特許文献２によって開示された技術は、フロントキャビネットとリヤキャビネットとの合わせ箇所での割れを防ぐ技術であるので、図３で説明した縁枠部１４の周囲に白化ラインＡが生じることを回避することとは関係がない。
【０００８】
本発明は以上の状況の下でなされたものであり、背高ボスで支えるＣＲＴの重量が重くなっても、そのＣＲＴの重量による荷重で縁枠部のコーナ部の周囲に白化ラインが発生することを防ぐことのできるテレビジョン受像機の合成樹脂製キャビネットを提供することを目的とする。
【０００９】
また、本発明は、従来のキャビネットを成形するための金型の成形面を形状変更するだけで成形することができるにもかかわらず、ＣＲＴの重量による荷重で縁枠部のコーナ部の周囲に白化ラインが発生することを防ぐことのできるテレビジョン受像機の合成樹脂製キャビネットを提供することを目的とする。
【課題を解決するための手段】
【００１０】
本発明に係るテレビジョン受像機の合成樹脂製キャビネットは、ＣＲＴの表示面を前方へ向けて露出させる略矩形の開口を備えた前枠部の裏面に、上記開口の口縁全域に亘り上記ＣＲＴが重ね合わされる背低リブでなる縁枠部が備わっていると共に、上記開口のコーナ部の近傍箇所に位置して、上記ＣＲＴを止具を介して支持する背高ボスが備わっている。そして、上記背高ボスに支持させたＣＲＴの重量による荷重が集中する上記縁枠部のコーナ部に始端が位置しかつ上記背高ボスに終端が連結された直線状の補強リブを、上記前枠部と一体にその裏面に形成することによって、上記開口のコーナ部の近傍箇所が白化することを防いでいる、というものである。
【００１１】
この構成であれば、背高ボスに支持させたＣＲＴの重量による荷重が、縁枠部のコーナ部に始端が位置しかつ背高ボスに終端が連結された直線状の補強リブによって主に受け止められるようになる。そのために、縁枠部のコーナ部の周囲に白化ラインが生じるほどの荷重が加わらなくなって白化ラインの発生が防止される。また、上記補強リブは、落下衝撃による縁枠部のコーナ部に割れや亀裂が入ることをも防ぐ作用を発揮する。
【００１２】
本発明では、上記補強リブの始端と同一位置に始端を有して互いに直交する方向に直線状に延び出ることによってその補強リブを挟む両側に各別に位置する一対の補助リブが、上記前枠部と一体にその裏面に形成されていることが望ましい。これによれば、補強リブだけでなく、その補強リブの両側の一対の補助リブもＣＲＴの重量による荷重を受け止めることに役立つ。また、補強リブと一対の補強リブとが、縁枠部のコーナ部を起点として、そのコーナ部の周囲に生じると予測される白化ラインＡ（図３参照）に沿う方向に延びた形状になるために、白化ラインの発生がいっそう確実に防止されるようになる。
【００１３】
本発明では、上記補強リブ及び一対の上記補助リブが、上記縁枠部を形成している背低リブよりも背低に形成されていることが望ましい。これによれば、縁枠部のＣＲＴを重ね合わせた場合に、補強リブや補助リブがＣＲＴと接触しなくなる。そのために、ＣＲＴの重量が補強リブや補助リブに直接加わることがなくなり、補強リブや補助リブによる白化ラインの発生を防ぐ作用が確実に発揮されるようになる。
【００１４】
本発明では、一対の上記補助リブのうちの片側の補助リブの終端が上記背高ボスを挟む両側に各別に位置する一対のポストのうちの片側のポストに連結され、他側の補助リブの終端が他側のポストに連結されていることが望ましい。これによれば、一対の補助リブによる補強作用によって、縁枠部のコーナ部と片側及び他側の各ポストとの間の箇所の歪み変形が防止されて白化の発生が防止される。
【００１５】
本発明では、上記前枠部にその外周部から後方へ張り出した外枠部が備わり、その外枠部と上記背高ボスとの間に亘って一体成形された板片状のリブが配備されていると共に、上記背高ボスと一対のポストとの間に亘って一体成形された板片状のリブが配備されていることが望ましい。これによれば、背高ボスと外枠部との間の箇所の歪み変形が防止され、そのことが、縁枠部のコーナ部の周囲に白化ラインが生じることを防ぐことに役立つ。
【００１６】
本発明に係るテレビジョン受像機の合成樹脂製キャビネットは、次の構成を採用することよっていっそう具体化される。すなわち、ＣＲＴの表示面を前方へ向けて露出させる略矩形の開口を備えた前枠部の裏面に、上記開口の口縁全域に亘り上記ＣＲＴが重ね合わされる背低リブでなる縁枠部が備わっていると共に、上記開口のコーナ部の近傍箇所に位置して、上記ＣＲＴを止具を介して支持する背高ボスが備わっているテレビジョン受像機の合成樹脂製キャビネットにおいて、上記前枠部とその外周部から後方へ張り出した外枠部とを備えるフロント部材と、そのフロント部材に結合されるリヤ部材とでなり、上記背高ボスに支持させたＣＲＴの重量による荷重が集中する上記縁枠部のコーナ部に始端が連結されかつ上記背高ボスに終端が連結された直線状の補強リブと、この補強リブの始端と同一位置に始端を有して互いに直交する方向に直線状に延び出ることによってその補強リブを挟む両側に各別に位置する一対の補助リブとが、上記前枠部と一体にその裏面に形成されていると共に、上記補強リブ及び一対の上記補助リブが、上記縁枠部を形成している背低リブよりも背低に形成され、一対の上記補助リブのうちの片側の補助リブの終端が上記背高ボスを挟む両側に各別に位置する一対のポストのうちの片側のポストに連結され、他側の補助リブの終端が他側のポストに連結され、上記外枠部と上記背高ボスとの間に亘って一体成形された板片状のリブと、上記背高ボスと一対のポストとの間に亘って一体成形された板片状のリブとを備えている、という構成を採用することによっていっそう具体化される。この発明の作用については、後述する実施形態を参照して詳細に説明する。
【発明の効果】
【００１７】
以上のように、本発明によれば、ＣＲＴの重量が重いことに起因する縁枠部のコーナ部の周囲の白化を防ぐために、縁枠部とコーナ部の位置とＣＲＴを支える背高ボスの位置との関係を考慮して補強リブ又は補助リブを設けてあり、しかも、縁枠部のコーナ部の肉厚を減じるものではないので、縁枠部による開口のコーナ部の補強作用を損なうことなく、縁枠部のコーナ部の周囲に白化ラインが発生することを防ぐことが可能になる。また、落下衝撃による縁枠部のコーナ部に割れや亀裂が入ることも防止される。したがって、白化によってキャビネットの耐用寿命が損なわれたりその見栄えが悪くなったりするという事態が起こりにくくなる。
【００１８】
また、本発明に係るキャビネットは、従来のキャビネットを成形するための金型の成形面を少しだけ形状変更するだけで成形することができるという利点がある。
【発明を実施するための最良の形態】
【００１９】
図１は本発明に係るテレビジョン受像機の合成樹脂製キャビネットを概略で示した背面図、図２（Ａ）は図１のキャビネットの要部を拡大した背面図、同（Ｂ）は同（Ａ）のＩＩＢ−ＩＩＢ線に沿う部分の拡大断面図である。
【００２０】
図１に示したキャビネットは、フロント部材１と図示していないリヤ部材とに分割されていて、フロント部材１とリヤ部材とを結合することによって構成される。フロント部材１は、略矩形の開口１１を備えた前枠部１２とこの前枠部１２の外周部から後方へ張り出した外枠部１３とを備えていて、前枠部１２の裏面に、開口１１の口縁全域に亘る背低リブでなる縁枠部１４が備わっていると共に、開口１１のコーナ部１１ａの近傍箇所に背高ボス１５が備わっていて、この背高ボス１５を挟む両側にポスト１６が備わっている。そして、図２のように、背高ボス１５と外枠部１３との間、並びに、背高ボス１５とそれぞれのポスト１６，１６との間に板片状のリブ１７，１８が配備されている。このキャビネットでは、ＣＲＴ（不図示）の外周囲が縁枠部１４に重ね合わされてそのＣＲＴの表示面が開口１１からその前方へ向けて露出されると共に、ＣＲＴが取付けねじでなる止具（不図示）を介して背高ボス１５によって支持される。このキャビネットの構成は以上の点で図２で説明したキャビネットの構成と相応していて、背高ボス１５が、ポスト１６、板片状のリブ１７，１８、外枠部１３などによって補強されている。また、ＣＲＴの重量による荷重が、縁枠部１４のコーナ部１４ａの近傍箇所に集中する傾向がある。そのため、大型のＣＲＴや平面ＣＲＴのように重量の重いＣＲＴが取り付けられた場合には、図３を参照して冒頭で説明したように縁枠部１４のコーナ部１４ａを起点として放射方向に延びる白化ライン（白化の筋）Ａが発生することがあった。
【００２１】
そこで、この実施形態では、図２（Ａ）（Ｂ）に示したように、縁枠部１４のコーナ部１４ａに始端２１を有する単一条の直線状の補強リブ２と、この補強リブ２の始端２１と同一位置に始端３１を有する２条の直線状の補助リブ３とを、前板部１２の裏面に一体成形してある。このうち、単一条の直線状の補強リブ２は、ＣＲＴの重量による荷重が集中して白化ラインＡ（図３参照）が発生するであろうと予測される領域の中央部を、発生が予想される白化ラインＡに沿って延びていて、その終端２２が背高ボス１５の基部に連結されて一体化されている。これに対し、２条の直線状の補助リブ３，３はそれらの始端３１，３１から互いに直交する方向に延び出ることによって、上記補強リブ２を挟む両側に各別に位置しており、しかも、ＣＲＴの重量による荷重が集中して白化ラインＡ（図３参照）が発生するであろうと予測される領域の外側に位置している。そして、それらの片側の補助リブ３の終端３２が背高ポスト１５の片側に位置しているポスト１６に連結されて一体化され、かつ、他側の補助リブ３の終端３２が背高ポスト１５の他側に位置しているポスト１６に連結されて一体化されている。したがって、これらの補助リブ３，３も、発生が予想される白化ラインＡに沿って延びている。
【００２２】
このような形態で上記補強リブ２が設けられていると、背高ボス１５に支持させたＣＲＴの重量による荷重が補強リブ２によって主に受け止められるようになるため、縁枠部１４のコーナ部１４ａの周囲に図３で説明したような白化ラインＡが生じるほどの荷重が加わらなくなって白化ラインの発生が防止された。しかも、この補強リブ２の補強作用によって、落下衝撃による縁枠部１４のコーナ部１４ａに割れや亀裂が入ることも防ぐことができた。さらに、補強リブ２を挟む両側に各別に位置する一対の補助リブ３，３がＣＲＴの重量による荷重を受け止めることに役立ち、しかも、補強リブ２と一対の補強リブ３，３とが、縁枠部１４のコーナ部１４ａの周囲に生じると予測される白化ラインＡ（図３参照）に沿う方向に延びていることによって、白化ラインの発生がいっそう確実に防止されるようになった。
【００２３】
この実施形態では、補強リブ２及び一対の補助リブ３，３を、縁枠部１４を形成している背低リブよりも少し背低に形成してある。具体的には、縁枠部１４を形成している背低リブの高さが１〜２ｍｍに定められ、補強リブ２及び一対の補助リブ３，３の高さがねれよりも小さい寸法に定められている。そのため、縁枠部１４にＣＲＴを重ね合わせた場合には、図２（Ｂ）に示されている片側の補助リブ３だけでなく、他側の補助リブ３や補強リブ２がＣＲＴに対して間隔を隔てて位置することになり、同図に示したようにＣＲＴ１００が補強リブ２や補助リブ３，３に接触することがなく、その結果、ＣＲＴ１００の重量が補強リブ２や補助リブ３，３に直接加わることがなくなって補強リブ２や補助リブ３，３による白化ラインの発生を防ぐ作用が確実に発揮されるようになる。
【００２４】
さらに、この実施形態では、補強リブ２や補助リブ３，３が、縁枠部１４のコーナ部１４ａと背高ボス１５ないし各ポスト１６，１６との間の箇所の歪み変形を防ぐことにも役立っている。その上、板片状のリブ１７，１８によって背高ボス１５と外枠部１３との間の箇所の歪み変形を防止されるので、そのことが、縁枠部１４のコーナ部１４ａの周囲に白化ラインが生じることを防ぐことに役立っている。
【００２５】
図２では、縁枠部１４の１つのコーナ部１４について説明したけれども、他の３つのコーナ部についても相応の構造が採用されていて、同様の作用が発揮されるようになっている。
【００２６】
上記した補強リブ２や補助リブ３を備えるフロント部材１は、図３で説明したフロント部材１を成形するための成形金型の成形面に、補強リブ２や補助リブ３の成形面を追加するという形状変更を行うだけで製作することができるため、従来のキャビネットを成形するための成形金型の成形面の形状変更を行うだけで当該フロント部材１を容易にかつ安価に成形することができるようになるという利点がある。
【図面の簡単な説明】
【００２７】
【図１】本発明に係るテレビジョン受像機の合成樹脂製キャビネットを概略で示した背面図である。
【図２】（Ａ）は図１のキャビネットの要部を拡大した背面図、（Ｂ）は（Ａ）のＩＩＢ−ＩＩＢ線に沿う部分の拡大断面図である。
【図３】従来例のキャビネットの要部を示した背面図である。
【符号の説明】
【００２８】
１  フロント部材
２  補強リブ
３  補助リブ
１１  開口
１１ａ  開口のコーナ部
１２  前枠部
１３  外枠部
１４  縁枠部
１４ａ  縁枠部のコーナ部
１５  背高ボス
１６  ポスト
１７，１８  板片状のリブ
２１  補強リブの始端
２２  補強リブの終端
３１  補助リブの始端
３２  補助リブの終端
１００  ＣＲＴ
【図１】
2005340965.tif 000003
【図２】
2005340965.tif 000004
【図３】
2005340965.tif 000005